(57)【要約】【課題】施工時に必要な天井裏のスペースを減少させるとともに、点灯装置とランプとによる熱干渉を減少させた天井埋込型照明器具を提供することを目的とする。【解決手段】灯具２の周囲所定の方向に設けられた第１アーム７と、第１アーム７に対して支軸を介して回動可能に取り付けられた第２アーム８とを備える。また、第１アーム７にはランプ２２を取り付けるランプソケット４が設けられる。さらに、灯具２が取付面に埋め込まれて取り付けられた場合、灯具２に対して第１アームが設けられた所定の方向と反対の方向に点灯装置取付部１が位置する。【選択図】図１
2008140593.tif 000002
【特許請求の範囲】
【請求項１】
取付面に埋め込まれて取り付けられる灯具と、
上記灯具の周囲所定の方向に突出するように設けられる第１アームと、
支軸を介して上記第１アームに回動可能に取り付けられ、かつ上記第１アーム側に折り返して取り付けられる第２アームと、
上記第２アームに設けられた点灯装置取付部と
を備えることを特徴とする埋込型照明器具。
【請求項２】
上記点灯装置取付部は、上記第２アームを上記第１アームに回動させることにより、上記灯具が取付面に埋め込まれて取り付けられた場合、上記灯具に対して上記第１アームが設けられた上記所定の方向と略反対の方向に位置する
ことを特徴とする請求項１記載の埋込型照明器具。
【請求項３】
上記埋込型照明器具は、
上記第１アームに、ランプを取付可能なランプソケット
を備えることを特徴とする請求項１または請求項２に記載の埋込型照明器具。
【請求項４】
上記第２アームは、上記灯具が取付面に埋め込まれて取り付けられた場合、上記取付面と略平行になる
ことを特徴とする請求項１〜請求項３のいずれかに記載の埋込型照明器具。
【請求項５】
上記灯具は、上記取付面の外側に当接するツバ部を有し、
上記埋込型照明器具は、
上記灯具から上記点灯装置取付部が位置する方向に対して、上記灯具の周方向に４５°から１３５°までの範囲の上記灯具の周囲にそれぞれ１つ以上設けられ、上記ツバ部との間に上記取付面を挟み込む取付部、
を備えることを特徴とする請求項１〜請求項４のいずれかに記載の埋込型照明器具。
【請求項６】
上記第２アームは、上記点灯装置取付部付近に電源ケーブルと接続される電源端子台を有する
ことを特徴とする請求項１〜請求項５のいずれかに記載の埋込型照明器具。
【発明の詳細な説明】
【技術分野】
【０００１】
本発明は、例えば、天井等の取付面に埋め込まれて取り付けられる埋め込み型照明器具に関する。
【背景技術】
【０００２】
従来、点灯装置取付板を灯具の支点に回動可能に取り付けることにより、施工時に必要な天井裏のスペースを減少させる技術がある。この技術においては、点灯装置取付板が取付穴の中心から離れているため、点灯装置取付板に取り付けられる点灯装置の重みにより器具の重心が取付穴の中心から離れている。そこで、点灯装置取付板自体に、又は点灯装置取付板と支点との間に天井内面側に付勢する部分を設けることで、点灯装置取付板の重みを利用して、灯具を天井面に固定するとともに、回転モーメントを軽減している。
【特許文献１】特開平５−２８８１８号公報
【特許文献２】特開２００３−２４９１１５号公報
【発明の開示】
【発明が解決しようとする課題】
【０００３】
上記技術によれば、依然として施工時に必要な天井裏のスペースが、器具高さ以上に必要であるという課題がある。また、ランプソケットと点灯装置取付板が近いため、ランプと点灯装置が近くに配置され、互いに温度的な影響を受けるという課題がある。さらに、灯具に対してランプソケットと点灯装置とが同じ側に配置されるため、取付場所に器具周辺のスペースがより多く必要であるという課題がある。
本発明は、施工時に必要な天井裏のスペースを減少させるとともに、熱干渉を減少させることを目的とする。
【課題を解決するための手段】
【０００４】
本発明に係る埋込型照明器具は、例えば、取付面に埋め込まれて取り付けられる灯具と、
上記灯具の周囲所定の方向に突出するように設けられる第１アームと、
支軸を介して上記第１アームに回動可能に取り付けられ、かつ上記第１アーム側に折り返して取り付けられる第２アームと、
上記第２アームに設けられた点灯装置取付部と
を備えることを特徴とする。
【発明の効果】
【０００５】
本発明に係る埋込型照明器具によれば、点灯装置取付部が取り付けられた第２アームは、灯具に設けられた第１アームに対して回動可能に取り付けられている。したがって、天井裏のスペースをより減少させることが可能である。
【発明を実施するための最良の形態】
【０００６】
実施の形態１．
図１から図７までに基づき、埋込型照明器具の形状及び機能について説明する。
図１は、埋込型照明器具の上部方向から見た斜視図である。図２は、図１に示す埋込型照明器具の第２アーム８を回動させ、第１アーム７と略接触させた状態（第２アーム８を閉じた状態）を示す図である。図３は、灯具２の開口方向から見た埋込型照明器具の斜視図である。図４は、図３に示す埋込型照明器具の第２アーム８を閉じた状態を示す図である。図５は、図２のＢ方向から埋込型照明器具を見た図である。図６は、図５のＣ−Ｃ’側面片側断面図である。図７は、図１に示す埋込型照明器具の分解図である。
【０００７】
埋込型照明器具は、天井等の取付面２０に埋め込まれて取り付けられる照明器具である。埋込型照明器具は、点灯装置取付部１、灯具２、取付装置３、ランプソケット４、ランプソケット取付部５、支軸６、第１アーム７、第２アーム８、ツバ部９、電源端子台１０を備える。図１においては、さらに、ランプソケット４にランプ２２が装着されている。また、図２においては、さらに、点灯装置取付部１に点灯装置２３が装着されている。
点灯装置取付部１は、点灯装置２３を取り付けるための金具等である。例えば図２に示すように略Ｌ字形に形成された点灯装置取付部１に包まれるように点灯装置２３が取り付けられる。あるいは、板状の点灯装置取付部１を備えて、点灯装置２３を取り付けてもよい。
灯具２は、椀状、浅皿状、帽子状、円柱状、角柱状等の有底筒体からなる反射板等により構成され、下部が開口している。また、灯具２は、ランプソケット４に装着されたランプ２２を筒の内部に通す穴を周を構成する側部に有する。さらに、灯具２は、開口の端部を外側へ折り返し突出させたツバ部９を有する。
取付部３は、灯具２の側部に設けられた弾性を有するバネ状の金具等である。灯具２が取付面２０に埋め込まれた場合、取付部３とツバ部９との間に取付面２０を挟み、取付部３の弾性により取付面２０を挟持することにより、灯具２等を取付面２０に取り付ける。取付部３は、灯具２の側部に設けられ、ツバ部９付近で略レ字状に折り返される。また、取付部３は、略レ字状に折り返された先端部を灯具２の側部と反対方向に折り返されることで落下防止爪１１を形成する。さらに、取付部３は、灯具２の側部に取り付けられた部分から略レ字状に折り返された部分までと、略レ字状に折り返された部分から落下防止爪１１までとをそれぞれ湾曲して形成される。取付部３は、略レ字状の折り返しと上記湾曲とにより弾性を有する。また、取付部３は、灯具２が取付面２０に埋め込まれた場合、灯具２から点灯装置取付部１が位置する方向に対して、灯具２の周方向に４５°から１３５°までの範囲の灯具２の周囲に設けられる。つまり、図５におけるαとβとの範囲の灯具２の周囲に取付部３が設けられる。図５においては、灯具２の周方向に約９０°の位置に取付部３は設けられている。取付部３の配置は、埋込型照明器具の重みのバランスにより決定される。埋込型照明器具の中でも特に点灯装置２３が重量を有するため、灯具２の点灯装置取付部１が設けられる側に取付部３を設けることにより、取付強度を増すことができる。
なお、取付部３は、バネ状の弾性体ではなく、取付片を上下させて取付片とツバ部９で取付面２０を挟持する構成としてもよい。
ランプソケット４は、ランプ２２を装着するための部材であり、ランプソケット取付部５を介して第１アーム７に取り付けられる。ランプソケット取付部５は、ランプソケット４を取り付けるための金具等である。
なお、ランプソケット取付部５と第１アーム７を一体にすると部品点数を減らすことができる。
ランプソケット４と灯具２との間には所定の間隔が設けられている。ランプソケット４と灯具２との間の間隔は、例えば、ランプソケット４に取り付けられたランプ２２のフィラメント部分が灯具２の外に出る程度である。ランプ２２のフィラメント部分が灯具２の外に出ることにより放熱効果が高くなる。
第１アーム７は、板状、棒状等に形成され、灯具２の上部等に取り付けられる。第２アーム８は、第１アーム７と同様に板状、棒状等に形成され、第１アーム７に対して、支軸６（回動機構）を介して図１のＡ−Ａ’方向に回動可能に取り付けられている。ここで、第１アーム７は、灯具２から所定の方向に向けて設けられる。また、支軸６は、灯具２（反射板）から所定の間隔を空けて離れた位置に設けられる。所定の間隔とは、ランプソケット取付部５を支軸６付近に設けた場合に、ランプソケット４に取り付けたランプ２２のフィラメントが灯具２の外に出る程度である。さらに、第２アーム８には、図２、図４に示すように、第２アーム８を閉じた状態において、灯具２に対して第１アーム７が設けられた上記所定の方向と略反対の方向に位置するように点灯装置取付部１を設ける。つまり、第２アーム８を閉じた状態において、ランプソケット４と点灯装置取付部１とは、灯具を挟んで反対側に位置する。すなわち、第２アーム８を閉じた状態において、ランプソケット４に装着されるランプ２２のフィラメント部と、点灯装置取付部１に取り付けられる点灯装置２３とは、灯具を挟んで反対側に位置するので、熱源であるランプ２２と点灯装置２３とが離れるため、熱干渉が軽減される。図において支軸６は第１アーム７の端部分に設けられているが、これに限らず、第１アーム７の中点等に設けられても構わない。
電源端子台１０は、電源ケーブルと接続される端子である。電源端子台１０は、第２アーム８の先端部分に設けられる。ここでは、電源端子台１０は、第２アーム８の先端部分に設けられた点灯装置取付部１付近あるいは点灯装置取付部１に設けられている。
【０００８】
図７に示すように第１アーム７と取付部３を取り付けた補助部材は、灯具２の上部にネジ止めされる。
ここで、第１アーム７と取付部３を取付けた補助部材とを第１アーム７の上面からネジ１２ａ、１２ｂにより固定し、ネジ１２ａ、１２ｂは補助部材を貫通して、ネジ１２ａ、１２ｂを突出させている。
さらに、固定された第１アーム７と補助部材は、灯具２の内側からネジ穴１４にネジを通して補助部材側のネジ穴５にネジが固定され、灯具２に取りつけられる。
突出したネジ１２ａ、１２ｂは灯具２の穴１３ａ、１３ｂにそれぞれ挿入される。
灯具２の穴１３ａ、１３とにネジ１２ａ、１２ｂが挿入されることにより、第１アーム７及び取付部３を取り付けた補助部材と、灯具２とがネジ穴１４とネジ穴１５と通されたネジを軸として回転することがない。ここで、ネジ１２ａ、１２ｂは、灯具２の穴１３ａ、１３ｂに挿入されていればよく、固定されている必要はない。
なお、第１アーム７と補助部材の取り付けは、リベットで固定してもよいし、一体部品としてもよい。
【０００９】
次に、図８から図１０に基づき、埋込型照明器具を取付面２０へ取り付ける方法について説明する。
図８は、埋込型照明器具を取付面２０へ取り付ける第１の段階を示す図である。図８に示すように、第２アーム８の先端部分に設けられた点灯装置取付部１から取付面２０に設けられた取付穴へ挿入する。第２アーム８又は点灯装置取付部１が天井裏等の取付奥面２１に接触しないように、また、灯具２が取付面に接触しないように、第２アーム８を回動しながら取付穴へ点灯装置取付部１を挿入する。つまり、第２アーム８を回動させ、第１アーム７と第２アーム８との角度を天井裏の障害物に当たらない程度の角度にして、点灯装置取付部１を天井取付穴に挿入する。
図９は、埋込型照明器具を取付面２０へ取り付ける第２の段階を示す図である。図９に示すように、第２アーム８を取付穴に挿入した後、第１アーム７を取付穴に挿入する。ここでも、第１アーム７の先端部分が取付奥面２１に接触しないように、また、灯具２が取付面に接触しないように、第１アーム７を回動しながら取付穴へ第１アーム７を挿入する。第１アーム７を回動させて挿入する際、点灯装置取付部１は、自重により取付面２０の裏面２０−２に接触される。つまり、点灯装置取付部１を自重で下方に回動し、取付面２０の裏面２０−２に接した状態でランプソケット取付部５を取付穴に挿入する。
図１０は、埋込型照明器具を取付面２０へ取り付ける第３の段階を示す図である。図１０に示すように、第１アーム７を取付穴に挿入した後、灯具２を取付穴に挿入する。灯具２を取付穴に挿入した場合点灯装置取付部１の重みにより第２アーム８が回動する。そして、図１０に示すように、灯具２が取付穴に挿入されると、第２アーム８を閉じた状態となり、点灯装置取付部１は取付面２０の裏面２０−２から離れる。また、ツバ部９は取付面２０の表面２０−１と当接し、取付部３は取付面２０の裏面２０−２と当接する。そして、ツバ部９と取付部３とに取付面２０が挟持されることにより、埋込型照明器具は取付面２０に取付される。つまり、取付部３とツバ部９とにより取付面２０に固定する。その際、点灯装置取付部１は自重で下方に回動するため、点灯装置取付部１と第２アーム８とは天井面と水平状態になっている。
【００１０】
つまり、上述した取付方法は、支軸６を基点として第２アーム８を第１アーム７に対して回動させて点灯装置取付部１と第２アーム８とを取付穴に挿入し、
支軸６を基点として第１アーム７を第２アーム８に対して回動させて第１アーム７と第２アーム８とが平行になるように第１アーム７を取付穴に挿入し、
灯具２を取付穴に挿入し、
取付部３とツバ部９とが取付面２０を挟持することにより、取付面２０に埋込型照明器具を取り付ける方法である。
【００１１】
実施の形態１に係る埋込型照明器具は以下のような効果がある。
第１の段階において、第２アーム８を回動しながら取付穴へ点灯装置取付部１を挿入することにより、取付面２０の裏面２０−２と取付奥面２１との間の距離（奥行き）Ｗ３が小さくても第２アーム８の根元（支軸６部分）まで取付穴に挿入することができる。ここで、第１アーム７と第２アーム８との間の角度θの取付時の最大値を小さく保つことにより奥行きＷ３を小さくすることが可能である。支軸６が灯具２から所定の間隔を空けて離れた位置に設けられているため、第１アーム７と第２アーム８との間の角度θの最大値を小さくすることが可能である。特に、灯具２から支軸６までの間隔を長くすることで、第１アーム７と第２アーム８との間の角度θの最大値を小さくすることができる。また、電源端子台１０が第２アーム８の先端部分に設けられている、つまり、施工時に最初に挿入する位置になるため、電源ケーブルを電源端子台１０に取り付けてから、埋込型照明器具を取付穴に取り付けるので、施工しやすい。
第２の段階において、第１の段階と同様に、第２アーム８を回動しながら取付穴へ挿入することにより、奥行きＷ３が小さくても第１アーム７の根元まで取付穴に挿入することができる。
そのため、埋込型照明器具が取付面２０に取り付けられた状態において、埋込型照明器具の高さを低くすることができる。つまり、奥行きＷ３は、少なくとも埋込型照明器具の高さＷ２から取付面２０の厚さＷ４を引いた距離が必要であるが、埋込型照明器具の高さを低くすることができるため、最低限必要な奥行きＷ３を小さくすることができる。
第３の段階において、灯具２が取付穴に挿入されると、第２アーム８を閉じた状態となり、第２アーム８が取付面２０と略平行な状態となる。
ランプソケット４と点灯装置取付部１とが灯具と挟んで反対側に位置することにより、点灯装置取付部１が灯具２付近に位置する。そのため、埋込型照明器具の重心の位置が取付穴中心に近づくため、モーメントを軽減させるための部品や器具形状が不要である。つまり、点灯装置取付部１を取付面２０の裏面２０−２から離しても、支持部材等を用いることなく埋込型照明器具のバランスを取ることができる。
【００１２】
また、支軸６と点灯装置取付部１とが灯具２を挟んで反対側に位置することにより、支軸部と点灯装置取付板が同じ側にあるものに比べて、器具周辺のスペースを少なくできる。
また、ランプソケット４と点灯装置取付部１とが灯具と挟んで反対側に位置することにより、熱源であるランプ２２と点灯装置２３とが離れるため、熱干渉が軽減される。
また、点灯装置２３などの重量のある部品の重みがかかる部分に近い位置に取付部３があるため、埋込型照明器具を取付面２０に取付けたときに、取付面２０への取付け強度を増すことができる。
また、取付穴２０に取り付けたときの埋込型照明器具の形状がＴ字形状となるため、大きな地震等の振動で万が一埋込型照明器具が取付穴２０から外れた場合でも、取付穴２０の裏面２０−２に点灯装置取付部１とランプソケット取付部５が引っかかり、埋込型照明器具が落下するのを防止できる。
【００１３】
上記説明において埋込型照明器具は、片口金タイプの蛍光ランプ等を取り付ける照明器具を想定して説明した。しかし、これに限られず、例えば、ＬＥＤ等を取り付けるも照明器具であっても構わない。この場合、ＬＥＤは灯具２に内蔵されるため、ランプソケット４やランプソケット取付部５は必要ない。また、灯具２の側部にはランプ２２を挿入するための穴は必要ない。
また、上記説明においてランプソケット４は、ランプソケット取付部５を介して第１アーム７に設けられていたが、第１アーム７とは異なるアームにより灯具２に取り付けられていても構わない。
また、さらに、上記説明において第１アーム７は、灯具２に固定されていたが、図３のＤ−Ｄ’方向に回動可能としても構わない。第１アーム７が回動可能である場合、取付面２０への取付がより容易となる。第１アーム７が回動可能である場合、第１アーム７が固定の場合に比べ、灯具２から支軸６までの間隔を短くしても同様の効果を得ることができる。第１アーム７が回動可能である場合、取付後、点灯装置２３の重みにより第２アーム８が取付面２０と略平行な状態とならない場合がある。そこで、第１アーム７が回動可能な場合、第１アーム７を灯具２側へ引き付けるようなバネ等を設けても構わない。
【００１４】
実施の形態２．
実施の形態２では、実施の形態１で説明した埋込型照明器具の寸法の一例を示す。図１１は、実施の形態１で説明した埋込型照明器具の寸法についてパターン１（Ｐ１）からパターン３（Ｐ３）までの３つの例を示す図である。ここに示す寸法は一例であり、取付穴の穴径が変化する等により、各寸法も変化する。
【００１５】
図１１におけるＷ１からＷ５はそれぞれ、図１０におけるＷ１からＷ５までと対応する。取付穴の寸法Ｗ１は、取付面２０に設けられた穴の大きさであり、灯具２の円外形の直径である。ここで、灯具２の円外形にはツバ部９部分は含まない。灯具２の高さＷ２は、第２アーム８を閉じた状態における第１アーム７と第２アーム８の高さと、灯具２の高さとを合わせた高さである。ここで、灯具２の高さＷ２にはツバ部９部分の高さは含まない。奥行きＷ３は、取付面２０の裏面２０−２と取付奥面２１との間の距離である。取付面２０の厚さＷ４は、取付面２０の天井材の厚さである。器具中心から支軸６までの距離Ｗ５は、灯具２の中心から支軸６までの距離である。
ここで、埋込型照明器具を取付面２０に取り付けるには少なくとも、奥行きＷ３と取付面２０の厚さＷ４との和が、灯具２の高さＷ２以上である必要があることは明らかである。
【００１６】
図１１に示す例では、灯具２の高さＷ２と器具中心から支軸６までの距離Ｗ５とを変化させた場合に必要となる奥行きＷ３の値を示す。パターン１からパターン３へ向かって、器具中心から支軸６までの距離Ｗ５を６０ｍｍずつ減らしている。
この例から、器具中心から支軸６までの距離Ｗ５を長くすることにより、奥行きＷ３を小さくてすることが可能であることがわかる。
【図面の簡単な説明】
【００１７】
【図１】灯具２の底部方向から見た埋込型照明器具の斜視図。
【図２】図１に示す埋込型照明器具の第２アーム８を回動させ、第１アーム７と略接触させた状態（第２アーム８を閉じた状態）を示す図。
【図３】灯具２の開口方向から見た埋込型照明器具の斜視図。
【図４】図３に示す埋込型照明器具の第２アーム８を閉じた状態を示す図。
【図５】図１のＡ方向から埋込型照明器具を見た図。
【図６】図５のＣ−Ｃ’側面片側断面図。
【図７】図１に示す埋込型照明器具の分解図。
【図８】埋込型照明器具を取付面２０へ取り付ける第１の段階を示す図。
【図９】埋込型照明器具を取付面２０へ取り付ける第１の段階を示す図。
【図１０】埋込型照明器具を取付面２０へ取り付ける第３の段階を示す図。
【図１１】実施の形態１で説明した埋込型照明器具の寸法についてパターン１（Ｐ１）からパターン３（Ｐ３）までの３つの例を示す図。
【符号の説明】
【００１８】
１  点灯装置取付部、２  灯具、３  取付部、４  ランプソケット、５  ランプソケット取付部、６  支軸、７  第１アーム、８  第２アーム、９  ツバ部、１０  電源端子台、１１  落下防止爪、２０  取付面、２０−１  取付面２０の表面、２０−２  取付面２０の裏面、２１  取付奥面、２２  ランプ、２３  点灯装置。
【図１】
2008140593.tif 000003
【図２】
2008140593.tif 000004
【図３】
2008140593.tif 000005
【図４】
2008140593.tif 000006
【図５】
2008140593.tif 000007
【図６】
2008140593.tif 000008
【図７】
2008140593.tif 000009
【図８】
2008140593.tif 000010
【図９】
2008140593.tif 000011
【図１０】
2008140593.tif 000012
【図１１】
2008140593.tif 000013